【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
動画撮像装置と通信可能な静止画撮像装置であって、
被写体を撮像し画像データを得る撮像手段と、
前記撮像手段による静止画の撮像指示を入力する第１の操作手段と、
前記動画撮像装置にデータを送信する送信手段とを有し、
前記動画撮像装置での動画撮像中に前記第１の操作手段により静止画の撮像指示が入力された場合、前記撮像手段により静止画の撮像を行うとともに、前記撮像指示が入力されたタイミングを示す第１のタイミング情報を前記送信手段により前記動画撮像装置に送信し、
さらに前記送信手段は、前記撮像指示の入力タイミングよりも前のタイミングを示す第２のタイミング情報も前記動画撮像装置に送信し、
前記第１及び第２のタイミング情報は、前記動画撮像装置により撮像された動画と関連付けられることを特徴とする静止画撮像装置。
【請求項２】
前記撮像手段による静止画の撮像準備指示を入力する第２の操作手段をさらに有し、
前記第２のタイミング情報は前記撮像準備指示の入力タイミングを示すことを特徴とする請求項１に記載の静止画撮像装置。
【請求項３】
前記送信手段は、前記第１又は第２のタイミング情報を送信する場合、送信された情報が前記第１のタイミング情報か前記第２のタイミング情報かを前記動画撮像装置が識別するための情報をともに送信することを特徴とする請求項１又は２に記載の静止画撮像装置。
【請求項４】
前記第１及び第２のタイミング情報は時間情報であることを特徴とする請求項１乃至３のいずれか１項に記載の静止画撮像装置。
【請求項５】
前記送信手段は、前記第１のタイミング情報として、撮像の時間情報を含む静止画像を送信することを特徴とする請求項１乃至４のいずれか１項に記載の静止画撮像装置。
【請求項６】
静止画撮像装置と通信可能な動画撮像装置であって、
被写体を撮像し画像データを得る撮像手段と、
前記撮像手段による動画の撮像中に前記静止画撮像装置において静止画の撮像指示が入力されたタイミングを示す第１のタイミング情報と、前記静止画の撮像指示の入力タイミングよりも前のタイミングを示す第２のタイミング情報とを、前記静止画撮像装置から受信する受信手段と、
前記受信手段により受信した前記第１及び第２のタイミング情報を、前記撮像手段により撮像された動画のフレームに関連付ける関連付け手段とを有することを特徴とする動画撮像装置。
【請求項７】
前記関連付け手段により前記動画のフレームに関連付けられた前記第１又は第２のタイミング情報を動画像のインデックスとして表示部に表示する表示手段と、
前記インデックスが指定されると、前記撮像に関する情報に関連付けられた動画フレームから再生を開始する再生手段とを有することを特徴とする請求項６に記載の動画撮像装置。
【請求項８】
前記静止画撮像装置から、前記第１のタイミング情報として、撮像の時間情報を含む静止画像を受信することを特徴とする請求項６又は７に記載の動画撮像装置。
【請求項９】
前記第２のタイミング情報は、前記静止画撮像装置における撮像準備指示の入力タイミングを示すことを特徴とする請求項６乃至８のいずれか１項に記載の動画撮像装置。
【請求項１０】
動画撮像装置と静止画撮像装置とが通信可能に構成された撮像システムであって、
前記静止画撮像装置は、
被写体を撮像し画像データを得る第１の撮像手段と、
前記第１の撮像手段による静止画の撮像指示を入力する第１の操作手段と、
前記動画撮像装置にデータを送信する送信手段とを有し、
前記動画撮像装置での動画撮像中に前記第１の操作手段により静止画の撮像指示が入力された場合、前記第１の撮像手段により静止画の撮像を行うとともに、前記撮像指示が入力されたタイミングを示す第１のタイミング情報を前記送信手段により前記動画撮像装置に送信し、
さらに前記送信手段は、前記撮像指示の入力タイミングよりも前のタイミングを示す第２のタイミング情報も前記動画撮像装置に送信し、
前記動画撮像装置は、
被写体を撮像し画像データを得る第２の撮像手段と、
前記第２の撮像手段による動画の撮像中に前記静止画撮像装置において静止画の撮像指示が入力されたタイミングを示す第１のタイミング情報と、前記静止画の撮像指示の入力タイミングよりも前のタイミングを示す第２のタイミング情報とを、前記静止画撮像装置から受信する受信手段と、
前記受信手段により受信した前記第１及び第２のタイミング情報を、前記撮像手段により撮像された動画のフレームに関連付ける関連付け手段とを有することを特徴とする撮像システム。
【請求項１１】
動画撮像装置と通信可能な静止画撮像装置の制御方法であって、
前記静止画撮像装置は、被写体を撮像し画像データを得る撮像手段と、前記撮像手段による静止画の撮像指示を入力する第１の操作手段とを有し、
前記動画撮像装置での動画撮像中に前記第１の操作手段により静止画の撮像指示が入力された場合、前記撮像手段により静止画の撮像を行うとともに、前記撮像指示が入力されたタイミングを示す第１のタイミング情報を前記動画撮像装置に送信する送信手順を有し、
さらに前記送信手順では、前記撮像指示の入力タイミングよりも前のタイミングを示す第２のタイミング情報も前記動画撮像装置に送信し、
前記第１及び第２のタイミング情報は、前記動画撮像装置により撮像された動画と関連付けられることを特徴とする静止画撮像装置の制御方法。
【請求項１２】
静止画撮像装置と通信可能な動画撮像装置であって、
前記動画撮像装置は、被写体を撮像し画像データを得る撮像手段を有し、
前記撮像手段による動画の撮像中に前記静止画撮像装置において静止画の撮像指示が入力されたタイミングを示す第１のタイミング情報と、前記静止画の撮像指示の入力タイミングよりも前のタイミングを示す第２のタイミング情報とを、前記静止画撮像装置から受信する手順と、
前記受信した前記第１及び第２のタイミング情報を、前記撮像手段により撮像された動画のフレームに関連付ける手順とを有することを特徴とする動画撮像装置の制御方法。
【請求項１３】
動画撮像装置と通信可能な静止画撮像装置を制御するためのプログラムであって、
前記静止画撮像装置は、被写体を撮像し画像データを得る撮像手段と、前記撮像手段による静止画の撮像指示を入力する第１の操作手段とを有し、
前記動画撮像装置での動画撮像中に前記第１の操作手段により静止画の撮像指示が入力された場合、前記撮像手段により静止画の撮像を行うとともに、前記撮像指示が入力されたタイミングを示す第１のタイミング情報を前記動画撮像装置に送信する送信処理をコンピュータに実行させ、
さらに前記送信処理では、前記撮像指示の入力タイミングよりも前のタイミングを示す第２のタイミング情報も前記動画撮像装置に送信し、
前記第１及び第２のタイミング情報は、前記動画撮像装置により撮像された動画と関連付けられることを特徴とするプログラム。
【請求項１４】
静止画撮像装置と通信可能な動画撮像装置を制御するためのプログラムであって、
前記動画撮像装置は、被写体を撮像し画像データを得る撮像手段を有し、
前記撮像手段による動画の撮像中に前記静止画撮像装置において静止画の撮像指示が入力されたタイミングを示す第１のタイミング情報と、前記静止画の撮像指示の入力タイミングよりも前のタイミングを示す第２のタイミング情報とを、前記静止画撮像装置から受信する処理と、
前記受信した前記第１及び第２のタイミング情報を、前記撮像手段により撮像された動画のフレームに関連付ける処理とをコンピュータに実行させるためのプログラム。
【手続補正２】
【補正対象書類名】明細書
【補正対象項目名】００１４
【補正方法】変更
【補正の内容】
【００１４】
本発明の静止画撮像装置は、動画撮像装置と通信可能な静止画撮像装置であって、被写体を撮像し画像データを得る撮像手段と、前記撮像手段による静止画の撮像指示を入力する第１の操作手段と、前記動画撮像装置にデータを送信する送信手段とを有し、前記動画撮像装置での動画撮像中に前記第１の操作手段により静止画の撮像指示が入力された場合、前記撮像手段により静止画の撮像を行うとともに、前記撮像指示が入力されたタイミングを示す第１のタイミング情報を前記送信手段により前記動画撮像装置に送信し、さらに前記送信手段は、前記撮像指示の入力タイミングよりも前のタイミングを示す第２のタイミング情報も前記動画撮像装置に送信し、前記第１及び第２のタイミング情報は、前記動画撮像装置により撮像された動画と関連付けられることを特徴とする。